(57)【要約】      （修正有）【課題】電動工具用スイッチにおいて、電動工具用スイッチのリード線接続部内でナットが遊動またはガタツクことを防止する。【解決手段】ハウジング２にリード線接続部３を形成し、リード線接続部３内にリード線７を挿入させる方向と直行する方向に一組のネジ６とナット５とを接続端子１０を介して配設し、接続端子とナットとの間にリード線を挿入しネジを回転させることによりリード線を締め付けて固定する電動工具用スイッチであって、リード線接続部内にナットの遊動またはガタツキを防止するための保持手段を設けたことにより、リード線接続部内でナットが遊動またはガタツクことを防止するということができる。【選択図】  図２
2004351546.tif 000002
【特許請求の範囲】
【請求項１】
ハウジングにリード線接続部を形成し、該リード線接続部内にリード線を挿入させる方向と直行する方向に一組のネジとナットとを接続端子を介して配設し、該接続端子とナットとの間にリード線を挿入し前記ネジを回転させることによりリード線を締め付けて固定する電動工具用スイッチであって、
前記リード線接続部内にナットの遊動またはガタツキを防止するための保持手段を設けたこと
を特徴とする電動工具用スイッチ。
【請求項２】
前記保持手段は、
前記リード線接続部内における底部寄りの側面に設けた少なくとも１つのリブであること
を特徴とする請求項１に記載の電動工具用スイッチ。
【請求項３】
前記ナットは、
前記リブに接触させて前記リード線接続部内の底部側に圧入して保持させると共に、圧入したナットにネジの端部を螺着させておくこと
を特徴とする請求項１または２に記載の電動工具用スイッチ。
【請求項４】
前記ハウジングには、
前記接続端子に電気的に接続されたトリガースイッチを設けてあること
を特徴とする請求項１に記載の電動工具用スイッチ。
【発明の詳細な説明】
【０００１】
【発明の属する技術分野】
本発明は、電動工具用スイッチにリード線を接続させる前のナットが、遊動またはガタツキを生じない構造にした電動工具用スイッチに関するものである。
【０００２】
【従来の技術】
従来、ネジとナットとを使用してリード線と接続端子とを接続させる端子の取付方法としては、例えば、ケーブルと接続する結線部とブロックに固定される固定部と相手物と接続する接続部とからなるコンタクトと、このコンタクトが保持・固定されるブロックと、ブロックの係合部と係合できる係止部が設けられると共にブロックの結線部内を覆うように固定されているカバーと、前記ケーブルをコンタクトに接触・固定するための座金付ネジと、この座金付ネジと螺合するナットとから構成される端子台において、前記カバーにはドライバー挿入口の反対側に突出した凸部を設け、前記座金付ネジには螺刻してない先端部を設け、座金付ネジを緩めた際に端子台から外れない構造にした端子台がある（特許文献１参照）。
【０００３】
この種の端子の取付方法としては、一般的に、図６または図７に示したように、スイッチ本体１のハウジング２に形成されたリード線接続部３内の底部４に、ナット５を配設させ、ネジ６を回転させて該ナット５を摺動させるものであり、その際、該ナット５は該リード線接続部３内に単に配設させるだけであって、特に固定等はしていないものであり、また、前記ネジ６の端部は、予め前記ナット５に螺着させておく場合と、該ナット５に螺着させておかない場合とがある。
【０００４】
【特許文献１】
特開２０００−３４８７９２号公報（第２頁）
【０００５】
【発明が解決しようとする課題】
しかしながら、前記従来技術において、ネジ６の端部をナット５に螺着させておく場合と、ネジ６の端部をナット５に螺着させておかない場合とのいずれの場合であっても、該ナット５が該リード線接続部３内に単に配設されているだけであるため、該リード線接続部３内でナット５が遊動またはガタツキを生じるという問題点を有する。
【０００６】
そして、ナット５がリード線接続部３内で保持されていないため、ネジ６の端部を該ナット５に螺着させておく場合には、図６に示したように、前記リード線接続部３に図示していないリード線を接続させる前に、振動等によって前記ネジ６が回転して前記ナット５が実線で示したように摺動してしまい、前記リード線の挿入時にナット５の位置を修正、即ち、該ネジ６を回転させて該ナット５を底部４に摺動させてからでないと、リード線接続部３に前記リード線を挿入できないという問題点を有する。
【０００７】
また、ネジの端部をナットに螺着させておかない場合には、リード線接続部３に図示していないリード線を挿入し、ネジ６を回転させてナット５を摺動させようとする際、図７に示したように、該ナット５が該ネジ６に斜めに螺着され、該ナット５が十分に摺動しないことがあり、そのため、前記リード線の接続と係止とが不十分になって、該リード線が外れたり、また該リード線の接続部が発熱することがあるという問題点を有する。
【０００８】
従って、従来の電動工具用スイッチにおいては、電動工具用スイッチのリード線接続部内でナットが遊動またはガタツクことを防止するということに解決しなければならない課題を有している。
【０００９】
【課題を解決するための手段】
上記した従来例の課題を解決する具体的手段として本発明に係る発明として、ハウジングにリード線接続部を形成し、該リード線接続部内にリード線を挿入させる方向と直行する方向に一組のネジとナットとを接続端子を介して配設し、該接続端子とナットとの間にリード線を挿入し前記ネジを回転させることによりリード線を締め付けて固定する電動工具用スイッチであって、前記リード線接続部内にナットの遊動またはガタツキを防止するための保持手段を設けたことを特徴とする電動工具用スイッチを提供するものである。
【００１０】
この発明において、前記保持手段は、前記リード線接続部内における底部寄りの側面に設けた少なくとも１つのリブであること；前記ナットは、前記リブに接触させて前記リード線接続部内の底部側に圧入して保持させると共に、圧入したナットにネジの端部を螺着させておくこと；前記ハウジングには、前記接続端子に電気的に接続されたトリガースイッチを設けてあること；を付加的な要件として含むものである。
【００１１】
本発明に係る電動工具用スイッチは、リード線接続部内にナットの遊動またはガタツキを防止するための保持手段を設けたので、前記リード線接続部内における前記ナットの移動を抑制し保持して、該リード線接続部内で該ナットが遊動またはガタツクことを防止することができるのである。
【００１２】
【発明の実施の形態】
次に、本発明を具体的な実施の形態に基づいて詳しく説明する。
本発明の実施の形態に係る電動工具用のスイッチを図１乃至図５を用いて説明する。なお、この実施の形態において、前記従来技術と同様の構成の部分については、図面の理解を容易にするため、同一の符号を付して説明する。
【００１３】
図１には、電動工具用のスイッチの平面図を示してある。電動工具用スイッチのスイッチ本体１のハウジング２の側面側には、リード線の接続部３が、例えば、図１の例では２つ形成されており、該ハウジング２の上面側には、該リード線接続部３に対応したネジ６がそれぞれ配設されている。
【００１４】
それぞれのリード線接続部３には、ハウジング２の側面側からリード線７を挿入させることができ、該リード線接続部３にリード線７を挿入させた状態で前記ネジ６を回転させることにより、該リード線７をスイッチ本体１に接続させると共に、該リード線７を係止できるようになっている。
【００１５】
リード線７は、例えば、電動工具等を駆動させるための電圧を供給する図示していない電源回路等に接続されており、スイッチ本体１に配設されたトリガースイッチ８を操作することにより、該スイッチ本体１の内部において、リード線接続部３に接続されたリード線７間の接続を切り換えて電気的に導通させ、例えば、前記電動工具等の電源のＯＮ／ＯＦＦ等を切り換えることができるようになっている。
【００１６】
また、スイッチ本体１の上面側には、トリガースイッチ８の操作を保持するロックボタン９が突出した状態で配設されており、該トリガースイッチ８を操作した状態で該ロックボタン９を押圧操作することにより、該トリガースイッチ８の操作状態を保持することができるようになっている。
【００１７】
このロックボタン９を押圧操作してトリガースイッチ８を操作状態に保持した状態を解除する場合には、例えば、再度該トリガースイッチ８を操作することによって、前記ロックボタン９を解除して該トリガースイッチ８の操作状態を解除できるようになっている。
【００１８】
図２には、図１のＡ−Ａ線に沿うリード線７を挿入させる前のリード線接続部３を拡大した断面図を示してある。スイッチ本体１のハウジング２の側面側には、リード線接続部３のリード線挿入口３ａが形成されている。
【００１９】
ハウジング２に形成されたリード線接続部３の内部には、リード線７の挿入方向を示した矢印ａと直交する方向に、一組のネジ６とナット５とを接続端子１０を介して配設させている。
【００２０】
接続端子１０には、図示はしていないがネジ６の胴部６ａよりも稍大きな孔が形成されており、該接続端子１０の孔に該ネジ６の胴部６ａを挿通させている。該接続端子１０と該ネジ６の頭部６ｂとの間には、座金１１を配設させても良く、このように、該座金１１を配設させることにより、電動工具用スイッチのスイッチ本体１に振動等が付与されても、該接続端子１０とナット５との間に生じる押圧力が減少することがないのである。
【００２１】
スイッチ本体１のハウジング２は、底部材２ａと上部材２ｂとに分割して構成されている。前記ネジ６とナット５とを配設させる場合には、まず、底部材２ａに形成されたリード線接続部３の内部の底部側にナット５を配設させる。
【００２２】
図３には、リード線接続部３にナット５を配設させる前の状態のハウジング２の底部材２ａの平面図を示し、図４には、リード線接続部３にナット５を配設させた状態のハウジング２の底部材２ａの平面図を示してある。底部材２ａに形成されたリード線接続部３の内側は、ナット５の外周形状より稍大きな略同一の形状に形成されており、ネジ６を回転させて前記ナット５を摺動させる際に、該ナット５がリード線接続部３の内部で回転しないようになっている。
【００２３】
リード線接続部３内には、前記ナット５の遊動またはガタツキを防止するための保持手段としてのリブ１２が形成されている。該リブ１２は、底部材２ａのリード線接続部３内のナット５を配設させる所定の位置、即ち、該リード線接続部３内における底部４寄りの側面に少なくとも１つ形成されているのである。
【００２４】
リード線接続部３内の底部４にナット５を配設させる場合には、該ナット５を前記リブ１２に接触させて該リブ１２を押圧しながら、該ナット５をリード線接続部３内の底部４側に圧入して該底部４に配設させるようになるので、該ナット５を前記リブ１２の存在によって前記リード線接続部３内の底部４に保持できるのである。
【００２５】
このリブ１２は、上部側を傾斜させナット５を挿入しやすいように形成しても良い。前記リブ１２は、リード線接続部３内における底部４寄りの側面に少なくとも１つ形成されていれば良く、また、リード線接続部３内の底部４側のそれぞれの辺の側面、例えば、図４に示したように、略矩形状のナット５を使用し、図３に示したように、リード線接続部３の内側を略矩形状に形成させた場合には、リード線接続部３内の底部４側の４辺にそれぞれ形成させても良い。
【００２６】
このように、リード線接続部３内における底部４寄りの側面に少なくとも１つのリブ１２を形成し、該リブ１２に接触させてナット５を前記リード線接続部３内の底部４側に圧入して配設させることにより、前記ナット５がリード線接続部内で遊動またはガタツキを生じることを防止して、該ナット５の移動を抑制することができる。
【００２７】
そのため、ネジ６を回転させて前記ナット５を摺動させる前において、例えば、スイッチ本体１に振動等が付与されたとしても、前記ナット５が前記リード線接続部３内の底部４に保持されてズレることがないため、リード線７の挿入時に前記ナット５の位置を修正する必要がなく、該リード線７を前記リード線接続部３内に挿入する作業を容易にできるのである。
【００２８】
リード線接続部３内の底部４にナット５を配設させた後、該リード線接続部３内に接続端子１０を配設させる。該接続端子１０の端部は、図示はしていないがスイッチ本体１に配設されたトリガースイッチ８（図１参照）と接続する回路に電気的に接続されている。
【００２９】
接続端子１０を配設させた後、該接続端子１０に形成された図示していない孔に座金１１が配設されたネジ６の胴部６ａを挿通させて配設させる。この際、ネジ６の胴部６ａの端部をナット５に螺着させる。
【００３０】
このように、ネジ６の胴部６ａの端部を予めナット５に螺着させておくことにより、リード線７を挿入させた状態で該ネジ６を回転させて該ナット５を摺動させようとする際、該ナット５が斜めに螺着されることがないため、該ナット５と前記ネジ６とを破損することがなく、該リード線７の接続を容易にできるのである。
【００３１】
要するに、ネジ６の端部をナット５に螺着させておく場合と、ネジ６の端部をナット５に螺着させておかない場合とのいずれの場合であっても、リード線接続部３内における底部４寄りの側面に設けた少なくとも１つのリブ１２にナット５を接触させて前記リード線接続部３内の底部４側に圧入して保持させることにより、前記ナット５がリード線接続部３内で遊動またはガタツクことがないので、リード線７の挿入時に、前記ナット５が摺動することによる該ナット５の位置修正を行う必要がなく、更に、前記圧入したナット５に該ネジ６の端部を予め螺着させておくことにより、該ナット５が該ネジ６に斜めに螺着されることが完全になくなるのである。
【００３２】
そして、ネジ６を配設させた後、ハウジング２の上部材２ｂを底部材２ａの上部に配設させることにより、前記ネジ６の脱落を防止して、電動工具用スイッチのスイッチ本体１を作製することができる。
【００３３】
ハウジング２の上部材２ｂには、ハウジング２の底部材２ａに形成されたリード線接続部３に連通する開口部３ｂが形成されており、図５に示したように、該リード線接続部３にリード線７を挿入した状態で、該開口部３ｂから図示していないドライバー等でネジ６を回転させることにより、前記リード線接続部３内の底部４にリブ１２に接触し保持されたナット５を摺動させ、接続端子１０と前記リード線７とを接続させると共に、該接続端子１０と前記ナット５との間で該リード線７を係止することができる。
【００３４】
また、リード線接続部３内の底部４側には、空洞部１３を形成させており、ネジ６を回転させて座金１１が押し潰された場合に、該ネジ６の端部が該空洞部１３に位置するので、該ネジ６の回転は阻害されないのである。
【００３５】
なお、上記実施の形態においては、電動工具用スイッチについて説明したが、これに限定されるものではなく、他のスイッチまたはコネクタ等に使用しても良い。
【００３６】
【発明の効果】
以上説明したように、本発明に係る電動工具用スイッチは、ハウジングにリード線接続部を形成し、該リード線接続部内にリード線を挿入させる方向と直行する方向に一組のネジとナットとを接続端子を介して配設し、該接続端子とナットとの間にリード線を挿入し前記ネジを回転させることによりリード線を締め付けて固定する電動工具用スイッチであって、前記リード線接続部内にナットの遊動またはガタツキを防止するための保持手段を設けたことにより、リード線接続部内でナットが遊動またはガタツクことを防止することができるため、リード線の挿入時に該ナットの位置を修正する必要がなく、更に、前記ナットを前記保持手段であるリブに接触させて前記リード線接続部内の底部側に圧入して保持させると共に、圧入したナットにネジの端部を螺着させた場合には、該ネジを回転させて前記ナットを摺動させようとする際、前記ネジの端部を予め該ナットに螺着させてあるため、該ネジに該ナットが斜めに螺着されることが完全になくなり、前記リード線の接続作業を容易にできるという優れた効果を奏する。
【図面の簡単な説明】
【図１】本発明に係る電動工具用スイッチを略示的に示した平面図である。
【図２】図１のＡ−Ａ線に沿うリード線を挿入させる前の状態を略示的に示した拡大した断面図である。
【図３】本発明に係る電動工具用スイッチのリード線接続部にナットを配設させる前の状態のハウジングの底部材を略示的に示した平面図である。
【図４】同電動工具用スイッチのリード線接続部にナットを配設させた状態のハウジングの底部材を略示的に示した平面図である。
【図５】図１のＡ−Ａ線に沿うリード線を挿入させた状態を略示的に示した拡大した断面図である。
【図６】従来技術である振動等によってネジが回転してナットが摺動してしまった状態を示したスイッチ用端子の断面図である。
【図７】従来技術であるネジにナットが斜めに螺着された状態を示したスイッチ用端子の断面図である。
【符号の説明】
１  電動工具用スイッチのスイッチ本体
２  ハウジング
２ａ  ハウジングの底部材
２ｂ  ハウジングの上部材
３  リード線の接続部
４  底部
５  ナット
６  ネジ
６ａ  ネジの胴部
６ｂ  ネジの頭部
７  リード線
８  トリガースイッチ
９  ロックボタン
１０  接続端子
１１  座金
１２  リブ（保持手段）
１３  空洞部
ａ  リード線の挿入方向
【図１】
2004351546.tif 000003
【図２】
2004351546.tif 000004
【図３】
2004351546.tif 000005
【図４】
2004351546.tif 000006
【図５】
2004351546.tif 000007
【図６】
2004351546.tif 000008
【図７】
2004351546.tif 000009